(57)【特許請求の範囲】
【請求項１】
本体と、本体に対して開閉可能な扉とを備え、前記本体と扉とをケーブルにより接続した開閉扉装置において、所要の長さに形成した平板状のクランプとして構成され、クランプの一端部を前記本体と扉の一方に固定する固定部と、ケーブルをクランプの長さ方向に沿って保持する保持部と、扉を閉じたときにクランプを長さ方向の少なくとも一部において板厚方向に屈曲させる屈曲部とを備え、前記保持部は前記扉が開閉されるときに前記クランプが前記屈曲部によって屈曲されたときの当該クランプの内側の面に沿って前記ケーブルを保持する構成であることを特徴とするケーブル挟み込み防止装置。
【請求項２】
前記固定部は本体又は扉の一方に設けた固定穴に係合する係合片を備えた構成であり、前記保持部は前記クランプの一部に設けた保持片でケーブルを抱持する構成であり、前記屈曲部は前記クランプの一部を薄肉に形成した構成であることを特徴とする請求項１に記載のケーブル挟み込み防止装置。
【発明の詳細な説明】
【技術分野】
【０００１】
本発明は本体に対してヒンジ結合している開閉可能な扉を有する開閉扉装置において、扉を閉じたときに扉と本体とを接続しているケーブルを両者間に挟み込むことを防止したケーブル挟み込み防止装置に関するものである。
【背景技術】
【０００２】
一般にパチンコ装置やスロット装置等の遊戯装置は、遊戯台の盤面を覆う前面扉を遊戯台に対してヒンジにより支持した構成がとられており、遊戯台のメンテナンス時には前面扉を開いて遊戯台の盤面を露呈させる構造がとられている。前面扉には表示用の発光体やその他の電子部品が設けられていることが多く、そのため遊戯台と前面扉とを電気ケーブルで接続し、この電気ケーブルを通して遊戯台と前面扉側とを電気接続する構成がとられている。例えば、図１はパチンコ装置の例を示しており、パチンコ装置本体、すなわちパチンコ台１に対して前面扉２が図には表れないヒンジによって開閉可能に支持されており、また、前面扉２はパチンコ台１に対してケーブル３で電気接続されている。
【０００３】
このようなパチンコ装置では、図７に図１のＡ部の従来構造を示すように、ケーブル３に節度を与えるために図７（ａ）のように前面扉２とパチンコ台１にそれぞれ電線クリップ７を装着し、ケーブル３の長さ方向の複数箇所をこの電線クリップ７で保持する構成がとられている。しかし、この構成では図７（ｂ）のように、前面扉２を閉じたときにケーブル３の可撓性によってケーブル３の一部Ｘが撓んで前面扉２とパチンコ台１との間、特に両者を連結しているヒンジの領域にまで突出された状態となり、このケーブルの突出された部分Ｘが前面扉２とパチンコ台１との間に挟み込まれることがあり、前面扉２を閉め切ることができなくなるとともに、ケーブル３が損傷して断線が生じることがある。そこで、このような開閉可能な扉を備える装置におけるケーブルの挟み込みを防止することが要求されており、その一つの例としての特許文献１においては、電子機器部と光収容部との間に接続される光ケーブルを電子機器の開閉作業を実施した場合でもこれらの間に光ケーブルが挟み込まれることがないようにした技術が提案されている。
【先行技術文献】
【特許文献】
【０００４】
【特許文献１】特開２００８−２９２７４４号公報
【発明の概要】
【発明が解決しようとする課題】
【０００５】
特許文献１の技術をパチンコ装置に適用すれば前述したケーブルの挟み込みを防止する上で有効と考えられる。しかし、特許文献１の技術は光収容部の一部に小スペースの光ケーブル長差調整部を設けた構成であるため、この光ケーブル長差調整部に相当するものをパチンコ台本体あるいは前面扉に設ける必要がある。そのため、パチンコ台や前面扉の一部を設計変更する必要があるとともに、当該光ケーブル長差調整部に相当するものを形成するためのスペースを確保する必要がありパチンコ装置が大型化してしまう。また、既存のパチンコ装置に適用してケーブルの挟み込みを防止することはできないという問題もある。
【０００６】
本発明のケーブル挟み込み防止装置は、本体と、本体に対して開閉可能な扉とを備え、本体と扉とをケーブルにより接続した開閉扉装置において、所要の長さに形成した平板状のクランプとして構成され、クランプの一端部を本体と扉の一方に固定する固定部と、ケーブルをクランプの長さ方向に沿って保持する保持部と、扉を閉じたときにクランプを長さ方向の少なくとも一部において板厚方向に屈曲させる屈曲部とを備え、保持部は扉が開閉されるときにクランプが屈曲部によって屈曲されたときのクランプの内側の面に沿ってケーブルを保持することを特徴としている。
【課題を解決するための手段】
【０００７】
本発明のケーブル挟み込み防止装置は、本体と、本体に対して開閉可能な扉とを備え、本体と扉とをケーブルにより接続した開閉扉装置において、所要の長さに形成したクランプとして構成され、クランプの一端部を本体と扉の一方に固定する固定部と、ケーブルをクランプの長さ方向に沿って保持する保持部と、扉を閉じたときにクランプを長さ方向の少なくとも一部において屈曲させる屈曲部とを備えることを特徴としている。また、本発明の好ましい実施形態としては、固定部は本体又は扉の一方に設けた固定穴に係合する係合片を備えた構成であり、保持部はクランプの一部に設けた保持片でケーブルを抱持する構成であり、屈曲部はクランプの一部を薄肉に形成した構成とする。
【発明の効果】
【０００８】
本発明によれば、クランプを本体と扉の一方に固定支持するとともに、ケーブルをクランプに保持させることにより、扉を閉じたときにケーブルはクランプに伴って一体的に屈曲されるため、ケーブルの一部が撓んでヒンジの領域までに突出されることがなく、本体と扉との間にケーブルを挟み込むことが防止される。そのため、本体や扉に特許文献１のような光ケーブル長差調整部のようなスペースを設ける必要がなく開閉扉装置が大型化することはない。また、既存の開閉扉装置においてもクランプを本体や扉に固定するための構造を設けるのみでよく、しかもクランプは小型部品として構成できるので本体と扉との間のスペース内に配設することができ、既存の開閉扉装置への適用も可能である。
【図面の簡単な説明】
【０００９】
【図１】本発明が適用されるパチンコ装置の概略斜視図。
【図２】本発明の実施形態の要部の概略斜視図。
【図３】実施形態の防止クランプの斜視図。
【図４】防止クランプの正面図と固定部の拡大断面図。
【図５】防止クランプの組み付け状態とその動作を説明する図。
【図６】防止クランプの作用を説明する斜視図。
【図７】従来におけるケーブル挟み込みを説明する図。
【発明を実施するための形態】
【００１０】
次に、本発明の実施の形態について図面を参照して説明する。図１は本発明を適用するパチンコ装置の外観斜視図であり、前述したように、前面扉２はパチンコ装置本体、すなわちパチンコ台１に対して図には表れないヒンジによって開閉可能に支持されている。また、前面扉２とパチンコ台１とは可撓性のあるケーブル３で相互に電気接続されており、前面扉２を開閉するときにはケーブル３が撓むことによって前面扉２の開閉が可能とされている。この実施形態では、ケーブル３は複数本の電線を平坦状に配列したフラットケーブルとして構成されているが、可撓性のあるケーブルであればこれに限定されるものではない。また、ここではケーブル３は前面扉２とパチンコ台１の上側部と下側部のそれぞれに配設されており、これらのケーブル３によって前面扉２とパチンコ台１とを電気接続するように構成されている。そして、これら上下に配設したケーブル３のそれぞれに対し、本発明にかかるケーブル挟み込み防止装置としてのケーブル挟み込み防止クランプ（以下、防止クランプと称する）４が配設され、この防止クランプ４によって前面扉２を開閉したときにケーブル３が前面扉２とパチンコ台１との間に挟み込まれることを防止している。
【００１１】
前記防止クランプ４は上下の各ケーブル３に対して同じ構成であるので、ここでは上側のケーブル３に対して設けられた防止クランプ４を代表して説明する。図１に示したように、ケーブル３は所要の長さを有しており、その両端部にそれぞれ接続したコネクタ５をパチンコ台１と前面扉２のそれぞれに設けたコネクタ６に嵌合してパチンコ台１と前面扉２とを相互に電気接続している。図２は図１の破線Ａの部分の拡大斜視図であり、ケーブル３を除去した状態を示している。防止クランプ４は、前記ケーブル３の長さ方向の中間部を保持する所要長さのストラップ状に形成され、その基端部において前記前面扉２に固定支持されている。
【００１２】
図３は前記防止クランプ４の斜視図であり、ここでは樹脂を一体成形して構成され、細長い平板からなる形状保持性を有するクランプ板４１を主体に構成されている。この防止クランプ４は、前記クランプ板４１の一端部を前面扉に固定するために当該一端部に形成された固定部４２と、クランプ板４１の他端側に構成されて前記ケーブル３を保持する保持部４３と、前記クランプ板４１を板厚み方向に屈曲させるために前記クランプ板４１の長さ方向の一部、ここでは前記固定部４２と保持部４３との間に形成された屈曲部４４とで構成されている。
【００１３】
前記固定部４２は、いわゆるファスナとして構成されており、ここではクランプ板４１の幅方向に所要の空隙をおいてクランプ板４１の一端部からクランプ板４１の長さ方向に所要の寸法で平行に突出され、外側面先端がフックとして構成された一対の係合片４２１を備えている。この係合片４２１は、図４（ａ）に断面図を示すように、前面扉２の一部に設けられた矩形の固定穴２１に挿入され、挿入されたときに各係合片４２１のフックが固定穴２１の内縁に係合し、この係合によってクランプ板４１を前面扉２に固定支持するようになっている。また、ここでは係合片４２１が固定穴２１から簡単に離脱することがないように、前記クランプ板４１の一端部から幅方向に薄片４２２を突出し、この薄片４２２の先端側の一側面に前記係合片４２１の空隙寸法に等しい幅寸法の柱状をしたブッシュ４２３を一体に設けている。図４（ｂ）は図４（ａ）のＢ部の拡大図であり、係合片４２１を固定穴２１に挿入して係合している状態のときに、薄片４２２を湾曲させながらブッシュ４２３を一対の係合片４２１の間に圧入することにより、係合片４２１は両外側方向の押圧力を受け、この押圧力によって両係合片４２１が内側に変位することが防止され、固定穴２１の内縁との係合が保持されて固定穴２１から離脱することが防止される。なお、このようにして固定した状態においては、ドライバ等の工具を利用してブッシュ４２３を係合４２１片の間から抜き出すことで、係合片４２１による係合状態を解消し、防止クランプ４を前面扉２から容易に取り外すことが可能である。
【００１４】
図３において、前記保持部４３はクランプ板４１の一方の側縁に沿って長さ方向の異なる２箇所にそれぞれ設けられた保持片４３１と、この保持片４３１に対応してクランプ板４１の対応する他側縁に設けられた係止筒４３２とを備えて構成される。保持片４３１は可撓性を有するように薄肉かつ枠状に形成され、先端部４３３は内面側に向けて概ねコ字状に突出するように曲げ形成されている。また、前記係止筒４３２は前記保持片４３１の先端部４３３が嵌入可能な矩形筒状に構成されている。そして、図５に示すように、ケーブル３をクランプ板４１に沿って延長し、２箇所の保持片４３１を内側に曲げた上でそれぞれの先端部４３３を対応する係止筒４３２内に圧入状態に嵌入することで先端部４３３が係止筒４３２内に係止状態となり、係止された保持片４３１によってケーブル３をクランプ板４１の内面に沿った状態に保持させる。保持片４３１によるケーブル３の保持状態を解除するには、保持片４３１の先端部４３３を指先等で内側に変形させ係止筒４３２への圧入状態を解除することにより可能となる。
【００１５】
前記屈曲部４４は、図３に示すように、クランプ板４１の基端部寄りの一部、すなわち固定部４２と保持部４３との間の一部において他の部分よりも部分的に薄肉に形成されており、クランプ板４１はこの薄肉に形成された屈曲部４４において板厚方向に容易に屈曲することが可能とされている。ここでは、屈曲部４４は前面扉２の開閉角度に追従して図５に破線で示すように、クランプ板４１が板厚方向にほぼ１８０度の角度範囲で屈曲できるようにクランプ片４１の内面の一部を凹状となるように形成している。また、クランプ板４１は屈曲部４４において屈曲された場合でも屈曲部４４においてクランプ板４１が破断されることがない程度の強度、耐久性を備えるように構成されている。
【００１６】
このような構成の防止クランプは、図２に示したように、前面扉２を開いた状態でパチンコ台１を正面に見たときに、クランプ板４１の内面が正面を向くようにして固定部４２を前面扉２の固定穴２１に挿入し、クランプ板４１を前面扉２に固定支持させる。このときには、図４を参照して説明したように、一対の係合片４２１を固定穴２１に挿入し、その上でブッシュ４２３を係合片４２１の間に圧入することで係合片４２１の離脱を防止し、防止クランプ４は前面扉２に対して安定に固定されることになる。一対の係止片４２１は空隙をおいて設けられているので、固定穴２１に挿入する際には変形し易く、少ない力で挿入が可能である。また、その一方で簡単には離脱されないことは前述した通りである。
【００１７】
次いで、防止クランプ４の保持部にケーブル３を保持させる。ケーブル３は図１に示したようにコネクタ５をパチコン台１と前面扉２の各コネクタ６に嵌合している状態であってもよく、あるいはコネクタ５，６を嵌合する前の状態であってもよい。いずれの場合でも、図５を参照すると、ケーブル３をクランプ板４１の前面に沿って延長させた上で、保持部４３の２つの保持片４３１をケーブル３を抱き込むように曲げ変形し、保持片４３１のフック状をした先端部４３３を係止筒４３２に挿入して係止させる。これにより、ケーブル３は各保持片４３１によって抱持された状態となり、保持部４３によってクランプ板４１の内面に沿って一体的に保持されることになる。したがって、図５の破線で示すように、防止クランプ４が屈曲部４４において内面方向と外面方向にそれぞれ９０°の角度で屈曲された場合でも、ケーブル３はクランプ板４１の内面に沿って保持された状態で防止クランプ４と一体的に屈曲されることになる。
【００１８】
このようにして防止クランプ４及びケーブル３を組み付けてケーブル３を防止クランプ４に一体保持した状態とすることにより、前面扉２を開いたときには、図６（ａ）に示すように、ケーブル３はパチンコ台１と前面扉２との間で真直な状態、あるいはこれに近い状態で伸ばされた状態となり、これを受けて防止クランプ４は屈曲部４４においてクランプ板４１の外面側に向けてほぼ９０°の角度で屈曲された状態となる。換言すればケーブル３が真っ直ぐな状態になるときの長さ方向の余裕によって前面扉２をパチンコ台１に対して開放させることが可能になる。
【００１９】
この状態から前面扉２を閉じて行くと、図１に示したケーブル３の両側のコネクタ５，６間の距離が短くなるため、ケーブル３に撓みが生じる状態になる。そして、前面扉２が閉塞されるのにしたがって防止クランプ４は初期の真直状態となり、さらに前面扉２が完全に閉塞される状態に近づくと、図６（ｂ）に示すように、防止クランプ４は屈曲部４４においてクランプ板４１の内面側に向けてほぼ９０°の角度にまで屈曲される。しかし、ケーブル３は保持部４３においてクランプ板４１の内面に沿って保持されているため、ケーブル３撓みが生じた場合でもクランプ板４１の内面から外れてクランプ板４１の外面側にまではみ出されることはなく、ケーブル３の一部がパチンコ台１と前面扉２の間、特に両者を連結しているヒンジの部分にまで突出した状態で変形されることはなく、パチンコ台１と前面扉２との間にケーブル３の一部を挟み込むことが防止される。
【００２０】
このように、実施形態では防止クランプ４を前面扉２に固定支持するとともに、前面扉２とパチンコ台１を接続するためのケーブル３を防止クランプ４に保持させるだけでパチンコ台１と前面扉２との間にケーブル３を挟み込むことを防止することができる。したがって、ケーブル３の挟み込みを防止するためにパチンコ台１や前面扉２に特許文献１のような光ケーブル長差調整部を設ける必要がなく、そのためのスペースは不要でありパチンコ装置が大型化することはない。また、既存のパチンコ装置においても防止クランプ４を前面扉２に固定するための構造、すなわち固定用の固定穴２１を前面扉２に設けるのみでよく、しかも防止クランプ４は小型部品として構成できるのでパチンコ台１と前面扉２との間のスペース内に配設することができ、既存のパチンコ装置への適用の可能である。
【００２１】
実施形態では防止クランプ４を前面扉２に固定しているが、防止クランプ４をパチンコ台１に固定するように構成ことも可能である。この場合には、パチンコ台１の一部に固定穴を開設した上で防止クランプ４の固定部４１を当該固定穴に挿入して固定を行い、前面扉２を閉じたときにクランプ板４１が内面側に屈曲されるように配設することで、前面扉２を閉じるときにクランプ板４１がケーブル３を内面に保持した状態を保ちながら屈曲され、前述したと同様にしてケーブル３の挟み込みを防止することができる。
【００２２】
本発明は屈曲部を有する防止クランプにケーブルの保持部を備え、かつ防止クランプの一端側に固定部を備えていればよいので、これらの構成を満たす限り種々の変形が可能である。例えば、固定部４２の構成として、クランプ板４１の一端部に設けた錨型やカヌー型をした係合片で構成し、前面扉２やパチンコ台１に設けた固定穴に嵌合して固定を行う構成であってもよい。あるいは、固定部４２としては、ネジや接着あるいはその他の固定手段で防止クランプの一端部を固定する構造であってもよい。前者の場合には後者に比較して防止クランプの取り付けや取り外しの作業が簡略できることは言うまでもない。
【００２３】
また、保持部４３はケーブルを防止クランプの長さ方向に沿って保持する構成であればよいので、実施形態のような保持片４２１と係止筒４２２による構成に限られるものではなく、例えば、クランプ板４１に一体に設けたベルトを締結してケーブルを抱持する構造、あるいはクランプ板４１の一部または複数箇所に筒軸方向にスリットを有する筒部を設け、この筒部のスリットを通してケーブルを筒部の内部に挿通して保持を行う構造であってもよい。また、保持部は屈曲部４４を挟んだクランプ板４１の長さ方向にわたって配設してもよい。このように構成することで、屈曲部４４を挟んだクランプ板４１のほぼ全長にわたってケーブル３を安定して保持することが可能になる。さらに、保持部４３はケーブル３が撓んだときに防止クランプ４よりも外側に突出しない状態に保持することが可能であれば、ケーブル３をクランプ板４１の外面に沿って延長させるように構成してもよく、あるいはクランプ板４１を矩形ロッド状に形成したときには上下の一側面に沿って保持させるように構成することも可能である。
【００２４】
ここで、屈曲部４４は防止クランプ４を屈曲させる構成であればよいので、実施形態に記載のように屈曲部４４は防止クランプ４の長さ方向の１箇所に限られるものではなく、例えば２箇所に設けて防止クランプ４をコ字状に屈曲させるように構成してもよい。
【００２５】
本発明は実施形態のパチンコ装置に限られるものではなく、同様な構成の他の遊戯装置、あるいは開閉扉装置を備える他の電子機器等への適用も可能である。また、ケーブルは実施形態のようなフラットケーブルに限られるものではなく、複数本の単線を束ねたケーブル束であっても同様に適用が可能である。
【産業上の利用可能性】
【００２６】
本発明は、本体と扉とで構成される開閉扉装置において、扉を閉じるときに本体または扉に一端が固定されている防止クランプの他端部が扉の閉動作に伴って本体と扉との間で屈曲される構成であればよいので、開閉扉装置を備える種々の電子機器等への適用が可能である。
【符号の説明】
【００２７】
１  パチンコ台（パチンコ装置本体）
２  前面扉
３  ケーブル
４  ケーブル挟み込み防止クランプ
５，６  コネクタ
４１  クランプ板
４２  固定部
４３  保持部
４４  屈曲部
【図１】
0005396190.tif 000002
【図２】
0005396190.tif 000003
【図３】
0005396190.tif 000004
【図４】
0005396190.tif 000005
【図５】
0005396190.tif 000006
【図６】
0005396190.tif 000007
【図７】
0005396190.tif 000008